(57)【特許請求の範囲】
【請求項１】
ほゞ水平に相整列し、同一方向に物体を搬送する第１トラフ及び第２トラフと、第１カウンタウエイト及び第２カウンタウエイトとをそれぞれ相互に相反する方向に振動するようにレバー及びコイルばねで結合し、且つ、前記第１カウンタウエイトと前記第２カウンタウエイトとは一体化されており、前記第１トラフに結合される水平の第１板ばねと、電動機で駆動されるクランク機構のクランクシャフトとの第１枢着点は、前記第２トラフに結合される水平の第２板ばねと、前記クランクシャフトとの第２枢着点より１８０度、異なった位置にあり、前記第１、第２カウンタウエイトは垂直方向に防振する防振ばねにより基台に支持されるようにしたことを特徴とする振動コンベヤ。
【請求項２】
前記第１、第２板ばねはリグニンで成ることを特徴とする請求項１に記載の振動コンベヤ。
【請求項３】
前記基台は地上に複数本の支柱又は架台により支持されていることを特徴とする請求項１または２の何れかに記載の振動コンベヤ。
【発明の詳細な説明】
【０００１】
【発明の属する技術分野】
本発明は振動コンベヤ、特に高所に設置するのに好適な振動コンベヤに関する。
【０００２】
【従来の技術】
図６は従来例の振動コンベヤを示すが、全体は１として示され、断面がＵ字形状のトラフ２は下方のカウンタウエイト３と複数の（図示の例では２個）レバー４により、取付部材６を介して取り付けられている。更に取付部材６とカウンタウエイト３に固定された取付部材７とはコイルばね５により結合されている。レバー４の上端部及び下端部はリング状のゴムブッシュ８により、トラフ側２には取付部材６を介して、カウンタウエイト３には直接、取り付けられている。
【０００３】
カウンタウエイト３は地上に防振コイルばね９により支持されている。また、カウンタウエイト３には電動機１０が固定されており、この回転軸に固定された小プーリと、両端部がカウンタウエイト３上で軸支された回転軸を中心部に固定させている大プーリ１２とにベルト１１が巻装されている。回転軸のクランク部には連接棒１４が枢着されており、この先端部はゴムブッシュ１５を介して取付部材１９に取り付けられている。
【０００４】
従来例の振動コンベヤ１は以上のように構成されるが、次にこの作用について説明する。
【０００５】
電動機１４を駆動するとベルト１１により、大プーリ１２が回転し、その回転軸に偏心して設けられているクランク部により、連接棒１４は直線運動を行なう。なお、駆動時には大きなショックがトラフ２側に加えられるが、これはゴムブッシュ１５により吸収され、円滑な起動が行われる。トラフ２はコイルばね５の延在方向にほゞ平行に振動する。トラフ２内の材料もしくは物体が図において右方に搬送されるが、トラフ２の振動により、カウンタウエイト３に反力が加わる。これは防振コイルばね９により地上に伝達されるのを防止せんとするものであるが、公知のようにコイルばね９はその高さ方向には大きな防振効果を示すが、これに対し垂直方向、すなわち、水平方向にはほとんど防振作用を行わない。
【０００６】
従って、カウンタウエイト３が図示の例では地上にコイルばね９により、支持されている場合を示しているが、場合によっては地上より非常に高いところに架台を介して設置される場合がある。このような場合、水平方向の振動反力がカウンタウエイト３に伝えられると、これから地上までの距離×この水平方向の振動力のモーメントが発生する。カウンタウエイト３は高所にある架台に対し、水平方向の反力を与え、場合によっては振動コンベヤ１を架台に取りつけるための取付手段、例えば、ボルトが破壊されると架台から振動コンベヤが地上に落下するという大きな災害を発生する恐れがある。
【０００７】
【発明が解決しようとする課題】
本発明は上述の問題に鑑みてなされ、高所に設置した場合でも水平方向の振動伝達力を防止して地上に落下するの未然に防止することができる振動コンベヤを提供することを課題とする。
【０００８】
【課題を解決するための手段】
以上の課題は、ほゞ水平に相整列し、同一方向に物体を搬送する第１トラフ及び第２トラフと、第１カウンタウエイト及び第２カウンタウエイトとをそれぞれ相互に相反する方向に振動するようにレバー及びコイルばねで結合し、且つ、前記第１カウンタウエイトと前記第２カウンタウエイトとは一体化されており、前記第１トラフに結合される水平の第１板ばねと、電動機で駆動されるクランク機構のクランクシャフトとの第１枢着点は、前記第２トラフに結合される水平の第２板ばねと、前記クランクシャフトとの第２枢着点より１８０度、異なった位置にあり、前記第１、第２カウンタウエイトは垂直方向に防振する防振ばねにより基台に支持されるようにしたことを特徴とする振動コンベヤによって解決される。
【０００９】
【発明の実施の形態】
図１は本発明の実施の形態による振動コンベア３０の要部を示すものである。上流側トラフ３１は従来例のトラフ２と同様な形状を呈するが、長尺のためにその前端部のみを示す。また下流側トラフ３２も同様な形状を呈するが長尺のために一部のみを示し、その上流側端部は上流側トラフ３１のレベルより下にあり、上流側トラフ３１から排出される物体を受けやすいように配設されている。これらトラフ３１、３２の下方に配設されるカウンタウエイト３３とはレバー３４及び３５により結合されている。これらの上端部及び下端部は従来例と同様にゴムブッシュＧによりトラフ３１、３２とカウンタウエイト３３、３４に結合されている。またトラフ３１、３２と取付部材を介してカウンタウエイト３３との間に、レバー３４及び３５とはほゞ直角方向に延在するコイルばね３６が結合されている。従ってトラフ３１、３２はレバー３４、３５の延在方向にほゞ垂直な方向に振動する。
【００１０】
カウンタウエイト３３に一体的に側方に形成させたモータ取付材３３ａにモータ３８が設置されている。この回転軸に固定された小プーリ３８ａと大プーリ３９との間にはベルトが巻装されており、大プーリ３９の中心に固定されたクランクシャフト４０を回転させるが、これは図３に明示されるように両端部でベアリング４１ａ、４１ｂで支承されている。これらの間にクランクハウジング４２ａ、４２ｂ及び４３を取り付けている。クランク軸ハウジング４２ａ、４２ｂはクランクシャフト４０に対して同角度位置に取り付けられているが、クランクハウジング４３はクランクハウジング４２ａ、４２ｂとは１８０度位相を変えた角度位置に取り付けられている。
【００１１】
クランクハウジング４２ａ、４２ｂ、４３には連接棒取付部材４４ａ、４４ｂ、４５を枢着させており、取付部材４４ａ、４４ｂには板ばね取付座４６を固定させている。この中央部にリグニン（木材、わらなどを木質化した植物体の主成分の一つで、植物細胞を相互に膠着する作用を持つ。少量の合成樹脂と反応させて得るリグニン樹脂で成るばね材の商標名はリブノフェロ−として知られる。）で成る板ばね４７の一端部を取り付けている。また中央の取付部材４５には同様な形状のリグニンで成る板ばね４８が取り付けられている。これらは図１に示されるように本実施の形態では水平方向に延びており、トラフ３１、３２の両側壁に固定されている取付部材５０、５１のゴムブッシュ部５０ａ、５１ａに結合されている。このゴムブッシュ部５０ａ、５１ａとリグニンで成る板ばね４７、４８との関係は従来例の連接棒１４とゴムブッシュ１５との関係と同様である。カウンタウエイト３３は架台Ｈの上に防振用コイルばね５２により支持されている。架台Ｈは破線で示されるように地上より振動コンベヤ３０の高さよりも何倍か高い位置にある。
【００１２】
本発明の実施の形態は以上のように構成されるが、次にこの作用について説明する。
【００１３】
電動機３８を駆動すると大プーリ３９が所定の回転速度で回転し、中央部に固定されたクランクシャフト４０の回転と共に、これに１８０度位相を変えて取り付けられているクランクハウジング４２ａ、４２ｂとクランクハウジング４３とは１８０度位相を変えて直線運動をリグニンで成る板ばね４７、４８に行わせる。なお、取付部材５０、５１のゴムブッシュ部５０ａ、５１ａの働きにより、従来例と同様に駆動開始時のショックをやわらげる。トラフ３１、３２はレバー３４、３５の長手方向に対してほゞ垂直に振動を行なうのであるが、この水平成分は上流側トラフ３１と下流側トラフ３２との間で１８０度位相が異なるために相殺する。カウンタウエイト３３は垂直方向に防振効果を行なう防振用コイルばね５２により、架台Ｈに伝達力が加わることが防止される。よって架台Ｈには水平方向にも垂直方向にも振動伝達力が加わることがない。
【００１４】
なお、板ばね４７、４８はトラフ３１、３２とカウンタウエイト３３の相対的な上下運動により、それぞれに応力が加わらないようにする働きをする。又、リグニンでなる板ばね４７、４８は耐候性があるので屋外での使用に好適である。
【００１５】
振動伝達力の周波数は大プーリ３９の回転数であるが、従来は架台Ｈを支持する支柱などによって定まる共振周波数より充分低くなるように、すなわち架台や支柱により定まる共振周波数はトラフ３１、３２の駆動周波数よりも充分高い周波数に設定していたが、本実施の形態によれば、架台Ｈに振動伝達力がほとんど加わらないので、架台、支柱によって定まる共振周波数を従来より大巾に低下させることができる。これによって架台、支柱のコストを大巾に低下させることができる。
【００１６】
以上、本発明の実施の形態について説明したが、勿論、本発明はこれらに限定されることなく、本発明の技術的思想に基づいて種々の変形が可能である。
【００１７】
例えば、以上の実施例では、連接手段としてリグニンで成る板ばねを用いたが、これに代えて鋼製でなる板ばねを用いてもよい。
【００１９】
また以上の実施の形態では、高い架台上に設置した場合を説明したが、勿論、このような高い架台を用いず、地上に低く設置する場合においても本発明の効果は失われることはない。
【００２０】
又、上述の実施の形態によれば、図５で模式図で示すように両端がベアリングａで軸支されたクランクシャフトＡの両端部にクランクハウジングｂを設け、これと１８０度位相を代えて、クランクハウジングｃを設けた。これにより図３に示すように、矢印で示すリグニンで成る板ばねＰ1 、Ｐ2 を矢印方向に駆動した。これに代えて図６に示すように、クランクシャフトＡ’の両端側にクランクハウジングｂ1 、ｂ2 を設け、これと１８０度位相を変えて、これらの間にクランクハウジングｃ1 、ｃ2 を設け、これらのそれぞれにリグニンで成る板ばねＰ1 ａ、Ｐ2 ｂを結合し、他方クランクハウジングｂ、ｂ2にリグニンで成る板ばねＰ2 ａ、Ｐ2 ｂを接続し、上流側トラフ及び下流側トラフを並設する２本のリグニンで成る板ばねで結合して上流側トラフ及び下流側トラフを駆動するようにしても本発明の効果が得られる。
【００２１】
【発明の効果】
以上述べたように本発明の振動コンベヤによれば、カウンタウエイトへの水平及び垂直方向の特に水平方向の振動伝達力をほゞゼロとすることができる。従って架台や支柱を介して地上より高所に用いる場合においても従来のように地上に落下するという恐れは未然に防止することができる。
【図面の簡単な説明】
【図１】  本発明の実施の形態による振動コンベヤの要部の側面図である。
【図２】  図１における［２］−［２］線方向断面図である。
【図３】  図１における［３］−［３］線方向断面図である。
【図４】  本実施の形態によるクランク機構の模式図である。
【図５】  同変形例を示す模式図である。
【図６】  従来例の振動コンベヤの側面図である。
【符号の説明】
３０    振動コンベヤ
３１    上流側トラフ
３２    下流側トラフ
３３    カウンタウエイト
３４    カウンタウエイト
３８    モータ
４０    クランクシャフト
４２ａ  クランクハウジング
４２ｂ  クランクハウジング
４３    クランクハウジング
４４ａ  連接棒取付部材
４４ｂ  連接棒取付部材
４５    連接棒取付部材
４７    板ばね
【図１】
0003815117.tif 000002
【図２】
0003815117.tif 000003
【図３】
0003815117.tif 000004
【図４】
0003815117.tif 000005
【図５】
0003815117.tif 000006
【図６】
0003815117.tif 000007